(57)【要約】  センサネットワーク・サービス提供装置及びその方法が開示される。情報記録媒体に保存された情報を読み取り、センサネットワーク・サービスの位置情報を要請するために情報記録媒体に保存された情報を含む質疑メッセージを生成してコード情報提供装置に伝送し、コード情報提供装置からセンサネットワーク・サービスの位置情報を含む応答メッセージを受信すれば、応答メッセージに含まれたセンサネットワーク・サービスの位置情報を基に当該センサネットワークサーバに接続され、センサネットワーク・サービスを要請する。
2010525630.tif 000002
【特許請求の範囲】
【請求項１】
情報記録媒体に保存された情報を読み取る媒体リーディング部と、
センサネットワーク・サービスの位置情報を要請するために、前記情報を含む質疑メッセージを生成してコード情報提供装置に伝送する位置情報要請部と、
前記コード情報提供装置から前記情報に該当するセンサネットワーク・サービスの位置情報を含む応答メッセージを受信する位置情報受信部と、
前記応答メッセージに含まれたセンサネットワーク・サービスの位置情報を基に当該センサネットワークサーバに接続され、センサネットワーク・サービスを要請するサービス要請部と
を含むことを特徴とするセンサネットワーク・サービス提供装置。
【請求項２】
前記情報記録媒体は、ＲＦＩＤタグ、一次元または二次元のバーコード、及び有線／無線通信網を介して伝送される電子文書のうち、少なくとも一つであることを特徴とする請求項１に記載のセンサネットワーク・サービス提供装置。
【請求項３】
前記センサネットワーク・サービスの位置情報は、ＵＲＬまたはＵＲＩであることを特徴とする請求項１に記載のセンサネットワーク・サービス提供装置。
【請求項４】
前記コード情報提供装置は、ＤＮＳサーバであることを特徴とする請求項１に記載のセンサネットワーク・サービス提供装置。
【請求項５】
情報記録媒体に保存された情報を読み取る段階と、
センサネットワーク・サービスの位置情報を要請するために、前記情報を含む質疑メッセージを生成してコード情報提供装置に伝送する段階と、
前記コード情報提供装置から前記情報に該当するセンサネットワーク・サービスの位置情報を含む応答メッセージを受信する段階と、
前記応答メッセージに含まれたセンサネットワーク・サービスの位置情報を基に当該センサネットワークサーバに接続され、センサネットワーク・サービスを要請する段階と
を含むことを特徴とするセンサネットワーク・サービスの提供方法。
【請求項６】
前記情報記録媒体は、ＲＦＩＤタグ、一次元または二次元バーコード、及び有線／無線通信網を介して伝送される電子文書のうち、少なくとも一つであることを特徴とする請求項５に記載のセンサネットワーク・サービスの提供方法。
【請求項７】
前記センサネットワーク・サービスの位置情報は、ＵＲＬまたはＵＲＩであることを特徴とする請求項５に記載のセンサネットワーク・サービスの提供方法。
【請求項８】
前記コード情報提供装置は、ＤＮＳサーバであることを特徴とする請求項５に記載のセンサネットワーク・サービスの提供方法。
【発明の詳細な説明】
【技術分野】
【０００１】
本発明は、センサネットワーク・サービス提供装置及びその方法に関する。本発明は、情報通信部及び情報通信研究振興院のＩＴ Ｒ＆Ｄ開発事業の一環として行われた研究から導き出されたものである。［2005-S-038-02、Development of UHF RF-ID and Ubiquitous Networking Technology］
【背景技術】
【０００２】
従来、移動通信端末機がセンサネットワーク・サービスを受けるためには、センサネットワーキング・モジュールを具備せねばならない。移動通信端末機は、このセンサネットワーキング・モジュールを介してすでに構築されたセンサネットワークと直接連結される。しかし、センサネットワーキング技術は、非常に多様である。従って、移動通信端末機が多様なセンサネットワーク・サービスをいずれも受けるためには、各種類別にセンサネットワーキング・モジュールを具備せねばならない。
【発明の概要】
【発明が解決しようとする課題】
【０００３】
本発明がなそうとする技術的課題は、別途のセンサネットワーキング・モジュールを具備することなしに、多種のセンサネットワーク・サービスを提供されうる装置及びその方法を提供することである。
【０００４】
本発明がなそうとする技術的課題は、センサネットワーク・サービスの提供方法をコンピュータで実行させるためのプログラムを記録したコンピュータで読み取り可能な記録媒体を提供するところにある。
【課題を解決するための手段】
【０００５】
上記の技術的課題を達成するための、本発明によるセンサネットワーク・サービス提供装置の一実施形態は、情報記録媒体に保存された情報を読み取る媒体リーディング部と、センサネットワーク・サービスの位置情報を要請するために、前記情報を含む質疑メッセージを生成してコード情報提供装置に伝送する位置情報要請部と、前記コード情報提供装置から前記情報に該当するセンサネットワーク・サービスの位置情報を含む応答メッセージを受信する位置情報受信部と、前記応答メッセージに含まれたセンサネットワーク・サービスの位置情報を基に当該センサネットワークサーバに接続され、センサネットワーク・サービスを要請するサービス要請部とを含む。
【０００６】
上記の技術的課題を達成するための、本発明によるセンサネットワーク・サービスの提供方法の一実施形態は、情報記録媒体に保存された情報を読み取る段階と、センサネットワーク・サービスの位置情報を要請するために、前記情報を含む質疑メッセージを生成してコード情報提供装置に伝送する段階と、前記コード情報提供装置から前記情報に該当するセンサネットワーク・サービスの位置情報を含む応答メッセージを受信する段階と、前記応答メッセージに含まれたセンサネットワーク・サービスの位置情報を基に当該センサネットワークサーバに接続され、センサネットワーク・サービスを要請する段階とを含む。
【発明の効果】
【０００７】
本発明によれば、移動通信端末は、別途のセンサネットワーキング・モジュールを具備せずとも、多種のセンサネットワーク・サービスを提供しうる。
【図面の簡単な説明】
【０００８】
【図１】本発明によるセンサネットワーク・サービスのためのシステムの概略的な構成を図示した図面である。
【図２】本発明によるセンサネットワーク・サービス提供装置の一実施形態の構成を図示した図面である。
【図３】本発明によるセンサネットワーク・サービスの提供方法の一実施形態の流れを図示したフローチャートである。
【発明を実施するための形態】
【０００９】
以下には、添付された図面を参照しつつ、本発明によるセンサネットワーク・サービス提供装置及びその方法について詳細に説明する。
【００１０】
図１は、本発明によるセンサネットワーク・サービスのためのシステムの概略的な構成を図示した図面である。
【００１１】
図１を参照すれば、本発明によるシステムは、センサネットワーク１００、センサネットワークサーバ１１０、移動通信端末１２０、記録媒体１３０及びコード情報提供装置１４０を含む。
【００１２】
センサネットワーク１００で獲得された情報は、移動通信網、インターネットなど、データ伝送が可能な網を介してセンサネットワークサーバ１１０に伝送される。
【００１３】
センサネットワークサーバ１１０は、センサネットワーク１００から受信した情報を必要によって加工したり変換する。すなわち、センサネットワークサーバ１１０は、移動通信端末１２０からサービス要請があれば、該当する情報をセンサネットワーク１００から受信する。そして、センサネットワークサーバ１１０は、必要によって加工したり変換し、移動通信端末１２０に提供する。
【００１４】
移動通信端末１２０は、ＲＦＩＤ（radio frequency identification）タグ、一次元または二次元のバーコードのような情報記録媒体に保存された情報を読み取る。具体的に、移動通信端末１２０は、ＲＦＩＤリーダまたはバーコートリーダを介してＲＦＩＤタグまたはバーコードに保存された情報を獲得したり、またはカメラを介してバーコードなどを読み取って解釈する。これ以外に、移動通信端末１２０は、有線／無線通信網を介して電子文書形態で保存された情報を獲得できる。
【００１５】
移動通信端末１２０は、情報記録媒体１３０から読み取った情報に該当するセンサネットワーク・サービスの位置情報を要請する質疑（query）メッセージを生成する。移動通信端末１２０は、生成した質疑メッセージをコード情報提供装置１４０に伝送する。
【００１６】
コード情報提供装置１４０は、該当するセンサネットワーク・サービスの位置情報を含む応答メッセージを移動通信端末１２０に伝送することにより、移動通信端末１２０から受信した質疑メッセージに応答する。
【００１７】
例えば、センサネットワーク・サービスの位置情報はＵＲＬ（uniform resource locator）、ＵＲＩ（uniform resource identifier）及び各種アドレスでありうる。コード情報提供装置１４０の例としては、ＤＮＳ（domain name server）であるが、これらに限定されるものではない。
【００１８】
コード情報提供装置１４０から応答メッセージを受信した移動通信端末１２０は、応答メッセージに含まれた位置情報を基に、当該センサネットワークサーバ１１０にサービスを要請して獲得する。
【００１９】
図２は、本発明によるセンサネットワーク・サービス提供装置の一実施形態の構成を図示した図面である。図３は、本発明によるセンサネットワーク・サービスの提供方法の一実施形態の流れを図示したフローチャートである。
【００２０】
図２を参照すれば、センサネットワーク・サービス提供装置２００は、媒体リーディング部２１０、位置情報要請部２２０、位置情報受信部２３０及びサービス要請部２４０を含む。センサネットワーク・サービス提供装置は、携帯電話、ＰＤＡ（personal digital assistance）のような個人携帯端末で具現されうる。
【００２１】
以下、センサネットワーク・サービス提供装置の各構成について、図２及び図３を共に参照して説明する。
【００２２】
媒体リーディング部２１０は、ＲＦＩＤタグやバーコードのように、所定の情報を含む情報記録媒体を読み取って解釈し、情報を獲得する（Ｓ３００）。これ以外に媒体リーディング部２１０は、有線／無線通信網を介して電子文書形態で存在する情報を受信することができる。
【００２３】
位置情報要請部２２０は、媒体リーディング部２１０によって獲得した情報を含む質疑メッセージを生成し、その質疑メッセージを有線／無線通信網を介してコード情報提供装置２５０に伝送する（Ｓ３１０）。
【００２４】
位置情報受信部２３０は、コード情報提供装置２５０から質疑メッセージに対する応答として、センサネットワーク・サービスの位置情報を含む応答メッセージを受信する（Ｓ３２０）。ここで、コード情報提供装置２５０は、図１で説明したように、ＤＮＳサーバでありうる、質疑メッセージに含まれた情報記録媒体の情報に該当するセンサネットワーク・サービスの位置情報（例えば、ＵＲＬまたはＵＲＩなど）を含む応答メッセージを生成し、センサネットワーク・サービス提供装置２００に伝送する。
【００２５】
サービス要請部２４０は、応答メッセージに含まれたセンサネットワーク・サービスの位置情報を利用し、当該センサネットワークサーバ２６０に接続され、サービスを提供される（Ｓ３３０）。
【００２６】
本発明はまた、コンピュータで読み取り可能な記録媒体に、コンピュータで読み取り可能なコードとして具現することが可能である。コンピュータで読み取り可能な記録媒体は、コンピュータシステムによって読み取り可能なデータが保存されるあらゆる種類の記録装置を含む。コンピュータで読み取り可能な記録媒体の例としては、ＲＯＭ（read-only memory）、ＲＡＭ（random-access memory）、ＣＤ−ＲＯＭ、磁気テープ、フロッピーディスク、光データ保存装置などがあって、またキャリアウェーブ（例えばインターネットを介した伝送）の形態で具現されるものも含む。また、コンピュータで読み取り可能な記録媒体は、ネットワークに連結されたコンピュータシステムに分散され、分散方式でコンピュータで読み取り可能なコードが保存されて実行されうる。
【００２７】
以上、本発明についてその望ましい実施形態を中心に説明を行った。本発明が属する技術分野で当業者は、本発明が本発明の本質的な特性から外れない範囲で変形された形態で具現できることを理解することができるであろう。従って、開示された実施形態は、限定的な観点ではなくして、説明的な観点で考慮されねばならない。本発明の範囲は、前述の説明ではなくして特許請求の範囲に示されており、それと同等な範囲内にあるあらゆる差異点は、本発明に含まれたものであると解釈されねばならない。
【図１】
2010525630.tif 000003
【図２】
2010525630.tif 000004
【図３】
2010525630.tif 000005
【国際調査報告】
2010525630.tif 000006
2010525630.tif 000007